(57)【特許請求の範囲】
【請求項１】
電源供給装置と、
多数の非対称データモデム加入者装置と各々接続される複数のモデム部と、
前記複数のモデム部ごとに設けられ、前記電源供給装置から発生した電源を対応するモデム部に提供する複数の電源スイッチ部と、
加入者とモデム部との割り当て状態に従って前記電源スイッチ部の動作状態を制御するマイクロプロセッサーとを含む非対称データモデム電話局用加入者カード。
【請求項２】
電源供給装置、多数の非対称データモデム加入者装置と各々接続される複数のモデム部、前記複数のモデム部ごとに設けられ、前記電源供給装置から発生した電源を対応するモデム部に提供する複数の電源スイッチ部、そして加入者とモデム部との割り当て状態に従って前記電源スイッチ部の動作状態を制御するマイクロプロセッサーを含む非対称データモデム電話局用加入者カード（ATU-C）の制御方法であって、
前記加入者カードに電源が投入されれば前記電源スイッチ部を制御して前記複数のモデム部に電源が提供されないようにする初期化過程と、
加入者とモデム部との割り当て状態に従って前記電源スイッチ部を制御して加入者と接続されたモデム部に電源を供給させる過程とを含む制御方法。
【発明の詳細な説明】
【０００１】
【発明の属する技術分野】
本発明は非対称データ伝送装置に係り、特に加入者と接続されないモデム部には電源を印加させない非対称データモデム電話局用加入者カード及びその制御方法に関する。
【０００２】
【従来の技術】
ＡＤＳＬ（Ａｓｙｍｍｅｔｒｉｃ  Ｄｉｇｉｔａｌ  Ｓｕｂｓｃｒｉｂｅｒ  Ｌｉｎｅ；  非対称デジタル加入者線）は、既存の電話用螺旋状ペアケーブルを用いて約１．５Ｍｂｐｓ〜８Ｍｂｐｓの下向き（電話局から加入者に）伝送と低速の上向き（加入者から電話局に）伝送を可能にする新たな伝送技術であって米国Ｂｅｌｌｃｏｒｅにより開発された。このＡＤＳＬは４ＫＨｚの音声帯域より周波数がはるかに高い部分に１．５Ｍｂｐｓの下向きチャンネルを構成し、この帯域と音声帯域との間に１６Ｋｂｐｓの上向きチャンネルを構成し、帯域の最も低い部分にアナログ音声を通過させる周波数分割方式を選んでいる。
【０００３】
このようなＡＤＳＬは既存の電話用螺旋状ペアケーブルを使用することによって電話局または遠隔局から加入者まで無中継接続ができるだけ十分に長い伝送距離を有し、サービス装置の設置が既存の電話サービスＰＯＴＳほど簡単である。また、既存の電話信号が有する周波数帯域の上部にビデオ及び制御信号帯域を位置させて周波数帯域の重複なしに電話線を用いて複数の信号を同時に伝送できる。
【０００４】
ＡＤＳＬを用いる場合、電話局内には既存の電話交換機と共に母局側伝送装置のＡＴＵ−Ｃ（ＡＤＳＬ  Ｔｒａｎｓｃｅｉｖｅｒ  Ｕｎｉｔ）が接続され、加入者の宅内には加入者側伝送装置のＡＴＵ−Ｒ（ＡＤＳＬ  Ｔｒａｎｓｃｅｉｖｅｒ  Ｕｎｉｔ−Ｒｅｍｏｔｅ）が接続される。ＡＴＵ−Ｒは既存の電話機と共にパソコン、ＡＴＭまたはＬＡＮ  ｃｏｎｓｏｌに直接連結したりテレビまたはパソコンに連結されるセットトップボックスと呼ばれるビデオ・オーディオ信号デコーダに接続される。
【０００５】
このようなＡＤＳＬシステムはＡＴＭ（Ａｓｙｎｃｈｒｏｎｏｕｓ  Ｔｒａｎｓｆｅｒ  Ｍｏｄｅ；  非同期伝達モード）ネットワークに連結されて使われうる。
ＡＤＳＬモデムを用いた方式が広がる場合、全般的なデジタル網は空中網業者がＡＴＭ等でバックボーン網を構築し、バックボーン網から加入者まではＡＤＳＬモデムを用いる方式が有力である。
【０００６】
図１は非対称データ伝送装置の構成を示すブロック図である。図１に示したように、参照符号１００は電話局に設けられる装置（以下、電話局用装置という）で、２８ａ〜２８ｎは各加入者の宅内に設けられる装置（以下、加入者装置という）である。
電話局用装置１００は、データバスと外部の高速データネットワークをインタフェースするネットワークインタフェース及び制御カード１０、維持補修管理装置１２、維持補修用データバス、そして各々が多数の加入者装置に接続される複数のＡＴＵ−Ｃ（ＡＤＳＬ  Ｔｒａｎｓｃｅｉｖｅｒ  Ｕｎｉｔ）１８ａ〜１８ｎよりなる。
【０００７】
ＡＴＵ−Ｃ１８ａ〜１８ｎは各々が多数の加入者装置を接続できるように多数の非対称データモデム部（図示せず、以下モデム部という）が実装されている。ＡＴＵ−Ｃに電源が投入される瞬間全てのモデム部に電源が投入され、加入者側の線路接続要求を監視する状態が続く。
しかし、実際電話局で運営する場合にはＡＴＵ−Ｃに備わった全てのモデム部が加入者に割当てられない場合があり得る。特に加入者がサービス解約を要求する場合には加入者が割当てられないモデム部が発生する。また、ＡＴＵ−Ｃを増設する場合には一部のモデム部のみ使用し、残りは加入者が割当てられない状態になる。
【０００８】
しかし、加入者が割当てられないモデム部にも電源が投入されているのでずっと電力を消耗するようされる。
従って無駄な電力の浪費が起り、これによって不要な熱が発生するのでＡＴＵ−Ｃに悪い影響を与えるという問題点がある。
【０００９】
【発明が解決しようとする課題】
本発明は上記の問題点を解決するために案出されたことであって、加入者サービスに割当てられたモデム部にだけ電源が供給されるようにして装置の電力消耗を最適化するＡＴＵ−Ｃを提供することを目的とする。
本発明の他の目的は、上記のＡＴＵ−Ｃに適した制御方法を提供することである。
【００１０】
【課題を解決するための手段】
上記の目的を達成する本発明に係るＡＴＵ−Ｃは、電源供給装置と、多数の非対称データモデム加入者装置と各々接続される複数のモデム部と、各々が前記電源供給装置から発生した電源を前記モデム部に選択的に提供する複数の電源スイッチ部と、加入者とモデム部との接続状態に従って前記電源スイッチ部の動作状態を制御するマイクロプロセッサーとを含むことを特徴とする。
【００１１】
本発明に係るＡＴＵ−Ｃの制御方法は、電源供給装置、多数の非対称データモデム加入者装置と各々接続される複数のモデム部、前記電源供給装置から発生した電源を前記モデム部に選択的に提供する複数の電源スイッチ部、そして加入者とモデム部との接続状態に従って前記電源スイッチ部の動作状態を制御するマイクロプロセッサーを含む非対称データモデム電話局用加入者カード（ＡＴＵ−Ｃ）の制御方法において、前記加入者カードに電源が投入されれば前記電源スイッチ部を制御して前記複数のモデム部に電源が提供されないようにする初期化過程と、加入者とモデム部との接続状態に従って前記電源スイッチ部を制御して加入者と接続されたモデム部に電源を供給させる過程とを含むことを特徴とする。
【００１２】
【発明の実施の形態】
以下、添付した図面を参照して本発明の構成及び動作を詳細に説明する。
図２は従来のＡＴＵ−Ｃの構成を示すブロック図である。図２に示した装置において、マイクロプロセッサー２０はＡＴＵ−Ｃ１８ａ〜１８ｎの各構成部分を制御し、図１の維持補修管理装置１２と管理情報を交換してＡＴＵ−Ｃ１８ａ〜１８ｎの維持補修状態を管理する。ＲＯＭ２２はマイクロプロセッサー２０を制御するプログラムを貯蔵し、ＲＡＭ２４は一時的なデータを貯蔵する。
【００１３】
バックプレイン維持補修用バスインタフェース２６は図１の維持補修管理装置１２に連結されているし、バックプレインデータバスインタフェース２８は隣接したＡＴＵ−Ｃ間に情報を交換し高速データネットワークに連結されている。
チャンネルマルチプレクサ３０は、バックプレインデータバスインタフェース２８に入出力されるデータを多数のチャンネルに多重化したり逆多重化する。複数の非対称データモデム部３２ａ〜３２ｎは、デジタルデータをアナログ信号に変調して送信したり受信されるアナログ信号をデジタル信号に復調する。電源装置３４は図２に示した装置の各部に動作電源を供給する。
【００１４】
図２に示した装置において、電源が投入されれば加入者カードのマイクロプロセッサー２０はＲＯＭ２２に貯蔵されたプログラムに従ってＡＴＵ−Ｃ１８の内部状態を初期化して動作状態にセットした後、加入者装置から線路接続要求があるかどうかを検査する。線路接続要求があればマイクロプロセッサー２０は、チャンネルマルチプレクサ３０とバックプレインデータバスインタフェース２８及びデータバスを通じて加入者装置を外部の高速データネットワークに接続させる。
【００１５】
図３は、本発明に係るＡＴＵ−Ｃの構成を示すブロック図である。図３に示した装置において、図２に示した装置と同じ動作を遂行するブロックには同じ参照符号を付し、その詳細な説明を省略する。図３に示した装置は、図２に示した装置に比べて非対称データモデム部３２ａ〜３２ｎごとに電源スイッチ部４０ａ〜４０ｎをさらに具備することを特徴とする。
電源スイッチ部４０ａ〜４０ｎはマイクロプロセッサー２０から提供される制御信号に応答して非対称データモデム部３２ａ〜３２ｎに電源を供給したり遮断したりする。
【００１６】
ＡＴＵ−Ｃ１８に電源が印加されれば、マイクロプロセッサー２０はＲＯＭ２２に貯蔵されているプログラムに従ってＡＴＵ−Ｃ１８の基本的な初期化動作を遂行する。この時、マイクロプロセッサー２０は電源スイッチ部４０ａ〜４０ｎがモデム部３２ａ〜３２ｎに電源が投入されないようにオフ状態にさせ基本的な初期化を終える。基本的な初期化を終えたマイクロプロセッサー２０は、バックプレイン維持補修用バスインタフェース２６を通じて図１の維持補修管理装置１２に該当ＡＴＵ−Ｃ１８が初期化されたということを通報し、自分のＡＴＵ−Ｃ１８にあるモデム部３２ａ〜３２ｎ中いずれのことが加入者に実際に割当てられているかどうかを問い合わせる。
【００１７】
ＡＴＵ−Ｃ１８の問い合わせを受けた維持補修管理装置１２は、各ＡＴＵ−Ｃ１８中のどのモデム部が実際に加入者に割当てられて直ぐサービスを開始するかを通報する。維持補修管理装置１２から加入者の加入状態を通報されたＡＴＵ−Ｃ１８のマイクロプロセッサー２０は、電源スイッチ部４０ａ〜４０ｎを駆動させて加入者が割当てられたモデム部３２に電源を投入させる。
前記のようにシステムが初期化する場合とは違って、システムの試験を目的として任意のモデム部の電源供給を中断する場合もある。維持補修担当者が維持補修管理装置を通じて任意の加入者カードの任意のモデム部電源供給を遮断することもでき、再び供給することもできる。
【００１８】
【発明の効果】
前述したように、本発明に係る装置は、加入者サービスに指定されているモデム部のみに電源を供給させることにより無駄な電力消耗を減らす効果を有する。また、システムの試験を目的として任意のモデム部の電源供給を中断することもできる利点がある。
【図面の簡単な説明】
【図１】非対称データ伝送装置の構成を示すブロック図である。
【図２】従来のＡＴＵ−Ｃの構成を示すブロック図である。
【図３】本発明に係るＡＴＵ−Ｃの構成を示すブロック図である。
【符号の説明】
１８  ＡＴＵ−Ｃ
２０  マイクロプロセッサー
２２  ＲＯＭ
２６  バックプレイン維持補修用バスインタフェース
３２ａ〜３２ｎ  非対称データモデム部
４０ａ〜４０ｎ  電源スイッチ部
【図１】
0003609670.tif 000002
【図２】
0003609670.tif 000003
【図３】
0003609670.tif 000004